(57)【要約】      （修正有）【課題】種類の異なるイオン交換樹脂を用いて軟水を処理することによりＰＨ値の異なる複数の種類の軟水を製造してから、これらを混合することにより化粧品の基剤などに用いて好適の弱酸性軟水を得られるようにした装置を提供する。【解決手段】フィルター２および活性炭塔３を経由した無塩素水が、第１処理塔４ではナトリウムイオン型強酸性陽イオン交換樹脂によりＰＨ値が７程度の軟水となり、第２処理塔５では水素イオン型強酸性陽イオン交換樹脂によりＰＨ値が３程度の軟水となるので、これらの軟水をブレンドタンク１０へ導入し適宜の割合で混合することにより、化粧品用などに好適の弱酸性軟水が得られるようになる。この弱酸性軟水のＰＨ値を、特に３.５〜６.０に設定すれば、肌の手入れのほか、毛髪の手入れや食器洗いにも使用することができる。【選択図】図１
2004283726.tif 000002
【特許請求の範囲】
【請求項１】
原水をフィルターを介し導入して原水中の遊離塩素を吸着除去するための活性炭塔と、同活性炭塔を経由した無塩素水を導入して導入水中の硬度成分を吸着除去することによりＰＨ値が７程度の軟水を生成するためのナトリウムイオン型強酸性陽イオン交換樹脂を内蔵する第１処理塔と、上記活性炭塔を経由した無塩素水を導入して導入水中の硬度成分を吸着除去することによりＰＨ値が３程度の軟水を生成するための水素イオン型強酸性陽イオン交換樹脂を内蔵する第２処理塔とを備えるとともに、上記第１処理塔で生成されたＰＨ値７程度の軟水と上記第２処理塔で生成されたＰＨ値３程度の軟水とを、それぞれ第１バルブおよび第２バルブを介し導入して混合するブレンドタンクを備えたことを特徴とする、弱酸性軟水製造装置。
【請求項２】
上記ナトリウムイオン型強酸性陽イオン交換樹脂を内蔵した第１処理塔における飽和樹脂の再生を行うべく、同塔にバルブを介し１０％程度の濃度の食塩水を収容する第１再生用タンクが接続されていることを特徴とする、請求項１に記載の弱酸性軟水製造装置。
【請求項３】
上記水素イオン型強酸性陽イオン交換樹脂を内蔵した第２処理塔における飽和樹脂の再生を行うべく、同塔にバルブを介し４％程度の濃度の塩酸を収容する第２再生用タンクが接続されていることを特徴とする、請求項１または２に記載の弱酸性軟水製造装置。
【請求項４】
上記第１処理塔で処理された軟水のＰＨ値を計測する第１ＰＨ計と、上記第２処理塔で処理された軟水のＰＨ値を計測する第２ＰＨ計と、上記ブレンドタンク内の軟水のＰＨ値を計測する第３ＰＨ計とが設けられるとともに、上記の第１ＰＨ計，第２ＰＨ計および第３ＰＨ計の各計測信号に基づき、上記第３ＰＨ計の計測値が所要の計測値となるように上記の第１バルブおよび第２バルブの各開度を制御しうる制御器が設けられたことを特徴とする、請求項１〜３のいずれか１つに記載の弱酸性軟水製造装置。
【請求項５】
上記ブレンドタンク内の混合液のＰＨ値が、３．５〜６．０の範囲に設定されていることを特徴とする、請求項１〜４のいずれか１つに記載の弱酸性軟水製造装置。
【発明の詳細な説明】
【０００１】
【発明の属する技術分野】
本発明は、化粧品の基剤などに用いて好適の弱酸性軟水の製造装置に関する。
【０００２】
【従来の技術】
一般に、化粧品の基剤として好適の水を製造する手段としては、まず純水または軟水を製造し、これにグリセリンなどを混合する手段が用いられている。
しかしながら、グリセリンなどの添加剤を含んだ水では、添加剤を含まない水と比べて必ずしも化粧品用基剤として好適なものとはいえない。
【０００３】
【発明が解決しようとする課題】
そこで本発明は、種類の異なるイオン交換樹脂を用いて軟水を処理することによりＰＨ値の異なる複数の種類の軟水を製造してから、これらを混合することにより化粧品の基剤などに用いて好適の弱酸性軟水を得られるようにした装置を提供することを課題とする。
【０００４】
【課題を解決するための手段】
前述の課題を解決するため、本発明の弱酸性軟水製造装置は、原水をフィルターを介し導入して原水中の遊離塩素を吸着除去するための活性炭塔と、同活性炭塔を経由した無塩素水を導入して導入水中の硬度成分を吸着除去することによりＰＨ値が７程度の軟水を生成するためのナトリウムイオン型強酸性陽イオン交換樹脂を内蔵する第１処理塔と、上記活性炭塔を経由した無塩素水を導入して導入水中の硬度成分を吸着除去することによりＰＨ値が３程度の軟水を生成するための水素イオン型強酸性陽イオン交換樹脂を内蔵する第２処理塔とを備えるとともに、上記第１処理塔で生成されたＰＨ値７程度の軟水と上記第２処理塔で生成されたＰＨ値３程度の軟水とを、それぞれ第１バルブおよび第２バルブを介し導入して混合するブレンドタンクを備えたことを特徴としている。
【０００５】
また、本発明の弱酸性軟水製造装置は、上記ナトリウムイオン型強酸性陽イオン交換樹脂を内蔵した第１処理塔における飽和樹脂の再生を行うべく、同塔にバルブを介し１０％程度の濃度の食塩水を収容する第１再生用タンクが接続されていることを特徴としている。
【０００６】
さらに、本発明の弱酸性軟水製造装置は、上記水素イオン型強酸性陽イオン交換樹脂を内蔵した第２処理塔における飽和樹脂の再生を行うべく、同塔にバルブを介し４％程度の濃度の塩酸を収容する第２再生用タンクが接続されていることを特徴としている。
【０００７】
また、本発明の弱酸性軟水製造装置は、上記第１処理塔で処理された軟水のＰＨ値を計測する第１ＰＨ計と、上記第２処理塔で処理された軟水のＰＨ値を計測する第２ＰＨ計と、上記ブレンドタンク内の軟水のＰＨ値を計測する第３ＰＨ計とが設けられるとともに、上記の第１ＰＨ計，第２ＰＨ計および第３ＰＨ計の各計測信号に基づき、上記第３ＰＨ計の計測値が所要の計測値となるように上記の第１バルブおよび第２バルブの各開度を制御しうる制御器が設けられたことを特徴としている。
【０００８】
さらに、本発明の弱酸性軟水製造装置は、上記ブレンドタンク内の混合液のＰＨ値が、３．５〜６．０の範囲に設定されていることを特徴としている。
【０００９】
上述の本発明の弱酸性軟水製造装置では、まずフィルターで微粒物を濾過された原水が活性炭塔に導かれて遊離塩素を吸着除去されることにより無塩素水となり、ついで、同無塩素水がナトリウムイオン型強酸性陽イオン交換樹脂を内蔵する第１処理塔へ導かれることにより、ＰＨ値７程度の軟水が適切に生成される。
また、上記無塩素水を導入される第２処理塔では、同塔内の水素イオン型強酸性陽イオン交換樹脂によりＰＨ値３程度の軟水が適切に生成される。
【００１０】
そして、第１処理塔で生成されたＰＨ値７程度の軟水と第２処理塔で生成されたＰＨ値３程度の軟水とがブレンドタンクで混合処理されることにより、所要の弱酸性軟水が生成されるようになる。
このようにして、本装置では、化粧品用などに好適の弱酸性軟水が効率よく生成される。
【００１１】
また、本装置におけるナトリウムイオン型強酸性陽イオン交換樹脂を内蔵する第１処理塔には、その飽和樹脂の再生のため１０％程度の濃度の食塩水を収容する第１再生用タンクがバルブを介し接続されているので、同食塩水を用いることにより上記第１処理塔内のナトリウムイオン型強酸性陽イオン交換樹脂の再生を随時適切に行うことが可能になる。
【００１２】
さらに、上記水素イオン型強酸性陽イオン交換樹脂を内蔵する第２処理塔には、その飽和樹脂の再生のため４％程度の濃度の塩酸を収容する第２再生用タンクがバルブを介し接続されるので、同塩酸を用いることにより上記第２処理塔内の水素イオン型強酸性陽イオン交換樹脂の再生を随時適切に行うことが可能になる。
【００１３】
また、上記第１処理塔で処理された軟水のＰＨ値，上記第２処理塔で処理された軟水のＰＨ値および上記ブレンドタンク内の軟水のＰＨ値をそれぞれ計測する第１ＰＨ計、第２ＰＨ計および第３ＰＨ計の各計測信号を受ける制御器が設けられて、上記ブレンドタンクについての第３ＰＨ計の計測値が所要のＰＨ値となるように上記制御器から前記の第１バルブおよび第２バルブに制御信号が送られる場合は、上記ブレンドタンクで所望のＰＨ値を得るための自動制御が可能になる。
【００１４】
そして、上記ブレンドタンク内の軟水のＰＨ値が３．５〜６．０に設定されると、その適度の弱酸性を有する軟水としての効用が著しく高められ、化粧品製造水としての用途のほか、頭髪の手入れや、肌の手入れに直接使用できるようになる利点が得られる。
【００１５】
【発明の実施の形態】
以下、図面により本発明の一実施形態としての弱酸性軟水製造装置について説明すると、図１はその系統図であり、図２はその制御系を示すブロック図である。
【００１６】
図１に示すように、水道水や天然水などの原水の供給部１からフィルター２を介して活性炭塔３が設けられており、同活性炭塔３に導入された原水は、活性炭により遊離塩素を吸着除去されて無塩素水となる。
【００１７】
このようにして生成された無塩素水は、ポンプ４ａｐを介し、ナトリウムイオン型強酸性陽イオン交換樹脂を内蔵する第１処理塔４へ導入されて、導入水中の硬度成分（カルシウムイオン，マグネシウムイオン等）を吸着除去されることにより、ＰＨ値７程度（６．５〜７．５程度）の軟水が生成されるようになっている。
【００１８】
また上記無塩素水はポンプ４ｂｐを介し水素イオン型強酸性陽イオン交換樹脂を内蔵する第２処理塔５へも導入されて、導入水中の硬度成分（カルシウムイオン，マグネシウムイオン等）を吸着除去されることにより、ＰＨ値３程度（２．５〜３．２程度）の軟水が生成されるようになっている。
【００１９】
なお、本実施形態における活性炭塔３では、第１処理塔専用の活性炭塔３ａと、第２処理塔専用の活性炭塔３ｂとが設けられているが、これらを単一の活性炭塔に統合してもよい。
【００２０】
また、ナトリウムイオン型強酸性陽イオン交換樹脂を内蔵した第１処理塔４における飽和樹脂の再生を行えるように、同塔４には、バルブ４ａを介して、１０％濃度の食塩水を収容する第１再生用タンク４Ａが接続されている。
【００２１】
さらに、水素イオン型強酸性陽イオン交換樹脂を内蔵した第２処理塔５についても、その内部の飽和樹脂の再生を行えるように、同塔５には、バルブ５ａを介して、４％濃度の塩酸を収容する第２再生用タンク５Ａが接続されている。
【００２２】
第１処理塔４で生成されたＰＨ値３程度の軟水は、カートリッジフィルターを内蔵する濾過塔６で微粒物を除去された後、第１タンク７に貯溜され、第２処理塔５で生成されたＰＨ値７程度の軟水も、カートリッジフィルターを内蔵する濾過塔８で微粒物を除去された後、第２タンク９に貯溜される。
【００２３】
そして、第１タンク７および第２タンク９は、それぞれ第１バルブ７ａおよび第２バルブ９ａを介してブレンドタンク１０に接続されており、ブレンドタンク１０にはミキサー１５が装備されている。
【００２４】
また、第１タンク７とブレンドタンク１０との間には第１タンク内の処理液のＰＨ値を検出できるようにバルブ７ｂ付き配管１２を介して第１ＰＨ計１１Ａが施され、第２タンク９とブレンドタンク１０との間にも、第２タンク９内の処理液のＰＨ値を検出できるようにバルブ９ｂ付き配管１３を介して第２ＰＨ計１１Ｂが施されている。
さらに、ブレンドタンク１０についても、その内部液のＰＨ値を計測しうる第３ＰＨ計１１Ｃがバルブ１６を介して接続される。
【００２５】
ブレンドタンク１０内の軟水のＰＨ値は、図２に示す制御系で調整されるようになっており、第１〜３ＰＨ計１１Ａ，１１Ｂ，１１Ｃからの検出値が制御器１７に送られて、これらのＰＨ検出値の情報に基づき制御器１７は制御バルブとしての第１バルブ７ａおよび第２バルブ９ａの各開度を制御し、このようにして、第３ＰＨ計１１Ｃの検出値、すなわちブレンドタンク１０内の処理液のＰＨ値が、３．５〜６．０となるように制御が行われる。
【００２６】
上述の本実施形態の弱酸性軟水製造装置では、まずフィルター２で微粒物を濾過された原水が活性炭塔３に導かれて遊離塩素を吸着除去されることにより無塩素水となり、ついで、同無塩素水がナトリウムイオン型強酸性陽イオン交換樹脂を内蔵する第１処理塔４へ導かれることにより、ＰＨ値７程度の軟水が適切に生成される。
【００２７】
また、上記無塩素水を導入される第２処理塔５では、同塔内の水素イオン型強酸性陽イオン交換樹脂によりＰＨ値３程度の軟水が適切に生成される。
【００２８】
そして、第１処理塔４で生成されたＰＨ値７程度の軟水と第２処理塔５で生成されたＰＨ値３程度の軟水とがブレンドタンク１０で混合処理されることにより、所要の弱酸性軟水が生成されるようになる。
このようにして、本装置では、化粧品用などに好適の弱酸性軟水が効率よく生成される。
【００２９】
また、本装置におけるナトリウムイオン型強酸性陽イオン交換樹脂を内蔵する第１処理塔４には、その飽和樹脂の再生のため１０％程度の濃度の食塩水を収容する第１再生用タンク４Ａがバルブ４ａを介し接続されているので、同食塩水を用いることにより第１処理塔４内のナトリウムイオン型強酸性陽イオン交換樹脂の再生を随時適切に行うことが可能になる。
【００３０】
さらに、水素イオン型強酸性陽イオン交換樹脂を内蔵する第２処理塔５には、その飽和樹脂の再生のため４％程度の濃度の塩酸を収容する第２再生用タンク５Ａがバルブ５ａを介し接続されるので、同塩酸を用いることにより第２処理塔５内の水素イオン型強酸性陽イオン交換樹脂の再生を随時適切に行うことが可能になる。
【００３１】
また、第１処理塔４で処理された軟水のＰＨ値，第２処理塔５で処理された軟水のＰＨ値およびブレンドタンク１０内の軟水のＰＨ値をそれぞれ計測する第１ＰＨ計１１Ａ、第２ＰＨ計１１Ｂおよび第３ＰＨ計１１Ｃの各計測信号を受ける制御器１７が設けられて、ブレンドタンク１０についての第３ＰＨ計１１Ｃの計測値が所要のＰＨ値となるように制御器１７から第１バルブ７ａおよび第２バルブ９ａに制御信号が送られるので、ブレンドタンク１０で所望のＰＨ値を得るための自動制御が可能になる。
【００３２】
そして、ブレンドタンク１０内の軟水のＰＨ値が３．５〜６．０に設定されることにより、その適度の弱酸性を有する軟水としての効用が著しく高められ、化粧品製造水としての用途のほか、頭髪の手入れや、肌の手入れに直接使用できるようになる利点が得られる。
【００３３】
【発明の効果】
以上詳述したように、本発明の弱酸性軟水製造装置によれば次のような効果が得られる。
（１）  フィルターで微粒物を濾過された原水が活性炭塔に導かれて遊離塩素を吸着除去されることにより無塩素水となり、ついで、同無塩素水がナトリウムイオン型強酸性陽イオン交換樹脂を内蔵する第１処理塔へ導かれることにより、ＰＨ値７程度の軟水が適切に生成される。また、上記無塩素水を導入される第２処理塔では、同塔内の水素イオン型強酸性陽イオン交換樹脂によりＰＨ値３程度の軟水が適切に生成される。そして、第１処理塔で生成されたＰＨ値７程度の軟水と第２処理塔で生成されたＰＨ値３程度の軟水とがブレンドタンクで混合処理されることにより、所要の弱酸性軟水が生成されるようになる。このようにして、本装置では、化粧品用などに好適の弱酸性軟水が効率よく生成される。
（２）  本装置におけるナトリウムイオン型強酸性陽イオン交換樹脂を内蔵する第１処理塔には、その飽和樹脂の再生のため１０％程度の濃度の食塩水を収容する第１再生用タンクがバルブを介し接続されているので、同食塩水を用いることにより上記第１処理塔内のナトリウムイオン型強酸性陽イオン交換樹脂の再生を随時適切に行うことが可能になる。
（３）  上記水素イオン型強酸性陽イオン交換樹脂を内蔵する第２処理塔には、その飽和樹脂の再生のため４％程度の濃度の塩酸を収容する第２再生用タンクがバルブを介し接続されるので、同塩酸を用いることにより上記第２処理塔内の水素イオン型強酸性陽イオン交換樹脂の再生を随時適切に行うことが可能になる。
（４）  上記第１処理塔で処理された軟水のＰＨ値，上記第２処理塔で処理された軟水のＰＨ値および上記ブレンドタンク内の軟水のＰＨ値をそれぞれ計測する第１ＰＨ計、第２ＰＨ計および第３ＰＨ計の各計測信号を受ける制御器が設けられて、上記ブレンドタンクについての第３ＰＨ計の計測値が所要のＰＨ値となるように上記制御器から前記の第１バルブおよび第２バルブに制御信号が送られる場合は、上記ブレンドタンクで所望のＰＨ値を得るための自動制御が可能になる。
（５）  上記ブレンドタンク内の軟水のＰＨ値が３．５〜６．０に設定されると、その適度の弱酸性を有する軟水としての効用が著しく高められ、化粧品製造水としての用途のほか、頭髪の手入れや、肌の手入れに直接使用できるようになる利点が得られる。
【図面の簡単な説明】
【図１】本発明の一実施形態としての弱酸性軟水製造装置を示す系統図である。
【図２】上記弱酸性軟水製造装置におけるブレンドタンクへの軟水混入のための制御系を示すブロック図である。
【符号の説明】
１  原水の供給部
２  フィルター
３，３ａ，３ｂ  活性炭塔
４  第１処理塔
４Ａ  第１再生用タンク
４ａ  バルブ
４ａｐ，４ｂｐ  ポンプ
５  第２処理塔
５Ａ  第２再生用タンク
５ａ  バルブ
６  濾過塔
７  第１タンク
７ａ  第１バルブ
７ｂ  バルブ
８  濾過塔
９  第２タンク
９ａ  第２バルブ
９ｂ  バルブ
１０  ブレンドタンク
１１Ａ  第１ＰＨ計
１１Ｂ  第２ＰＨ計
１１Ｃ  第３ＰＨ計
１２，１３  配管
１５  ミキサー
１６  バルブ
１７  制御器
【図１】
2004283726.tif 000003
【図２】
2004283726.tif 000004